(57)【要約】【課題】  歯根を利用して種々の入れ歯を簡単に着脱利用できる義歯用維持具の提供。【解決手段】  歯根８に装着固定されて義歯を装着できる義歯用維持具１であって、基板部２の下部には歯根挿込用の支持棒杆３を有し、前記基板部２の上部には、凹環部６を介して義歯装着用の鈎頭部５を設け、之等鈎頭部５、基板部２および支持棒杆３を金属で一体形成して成ることを特徴とする義歯用維持具。【選択図】        図１
2005130997.tif 000002
【特許請求の範囲】
【請求項１】
歯根に装着固定されて義歯を装着できる義歯用維持具であって、基板部の下部には歯根挿込用の支持棒杆を有し、前記基板部の上部には、凹環部を介して義歯装着用の鈎頭部を設け、之等鈎頭部、基板部および支持棒杆を金属で一体形成して成ることを特徴とする義歯用維持具。
【請求項２】
義歯は、１歯以上複数で構成される入れ歯として形成され、義歯の下部には請求項１記載の鈎頭部が挿着できる掛止孔が形成され、かつ前記鈎頭部の凹環部に弾性的に係合できるＯリングを埋設して成ることを特徴とする義歯用維持具。
【請求項３】
請求項１記載の義歯用維持具と、請求項２記載のＯリングを埋設した掛止孔を有する義歯と、より成ることを特徴とする義歯維持装置。
【発明の詳細な説明】
【技術分野】
【０００１】
この発明は、各種口腔歯科用に用いることとができる義歯用維持具および義歯維持装置に関する。
【背景技術】
【０００２】
従来一般には、図７に示すような部分入れ歯Ｐでは、左右の固定用のばねＱを用いて、残存している正常な二本の歯、すなわち自分の鉤歯に着脱可能に固定する方法が採られている。また、全歯を義歯として揃えた所謂、総入れ歯Ｒでは、図８に示すように、口腔内の上面または下面に総入れ歯Ｒを直接または固定用糊を用いて固定する方法が知られている。
【０００３】
このような義歯に対し、最近では歯根がある場合、この歯根に穴を造り、金属の棒杆を埋設固定し、この棒杆の頂部に義歯を載置固定する方法がとられているが、歯根に埋設固定する金属の棒杆は蝋付加工を用いて、その都度製作している。すなわち、歯根の穴を型取りし、これに合致した蝋型を作り、この作られた蝋型に所望の金属を溶融して流し込み、所望の金属の棒杆を作成していた（例えば、特許文献１参照。）
【特許文献１】特開２００３−２６００６７号公報
【発明の開示】
【発明が解決しようとする課題】
【０００４】
しかし乍ら、上述の先行例では、蝋付加工が不可欠であるため、患者への処置が簡単にできず、多くの時間と手間を要し、直ちに処置することが不可能であった。
【０００５】
この発明は叙上の点に着目して成されたもので、部分入れ歯は勿論のこと、総入れ歯であっても、歯根があった場合は、この歯根を利用して短時間に、しかも能率的にあらゆる種類の義歯を着脱自在に固定できるようにした義歯用維持具および義歯維持装置を提供することを目的とする。
【課題を解決するための手段】
【０００６】
この発明は、以下の構成を備えることにより上記課題を解決できる。
【０００７】
（１）歯根に装着固定されて義歯を装着できる義歯用維持具であって、基板部の下部には歯根挿込用の支持棒杆を有し、前記基板部の上部には、凹環部を介して義歯装着用の鈎頭部を設け、之等鈎頭部、基板部および支持棒杆を金属で一体形成して成ることを特徴とする義歯用維持具。
【０００８】
（２）義歯は、１歯以上複数で構成される入れ歯として形成され、義歯の下部には請求項１記載の鈎頭部が挿着できる掛止孔が形成され、かつ前記鈎頭部の凹環部に弾性的に係合できるＯリングを埋設して成ることを特徴とする義歯用維持具。
【０００９】
（３）前記（１）記載の義歯用維持具と、前記（２）記載のＯリングを埋設した掛止孔を有する義歯と、より成ることを特徴とする義歯維持装置。
【発明の効果】
【００１０】
この発明によれば、患者の治療中に歯根の穴内に義歯用維持具の支持棒杆、それ自体をその儘、或は切断などで長さを調節した後、通常の接着剤を用いて固定し、義歯側の義歯床には、歯根に固着した義歯用維持具の基板部と、鈎頭部と、凹環部に係合したＯリングが挿入できる十分大きく穿った穴内に、未硬化のレジンを充填して、一致して形成し、噛み合せた状態で義歯床と固化一体化した後に、引き離すことにより義歯側に基板部と鈎頭部に相当する大きさの掛止孔を、Ｏリングを埋設した状態で、簡単に義歯の着脱自在の掛止が可能となり、歯科技工士などの作業を省略して安価に提供できる。
【発明を実施するための最良の形態】
【００１１】
以下この発明の一実施例を説明する。
【実施例】
【００１２】
１は、全体がチタン金属のような、人体になじみやすい金属で形成される義歯用維持具を示し、基板部２の下部には支持棒杆３を備え、かつこの支持棒杆３には抜脱防止手段４が形成されている。図示ではネジ状の突起構造となっているが、溝でもまたは突起部でもその構成は問わない。
【００１３】
５は、前記基板部２の上部に形成される凹環部６を介して形成される球状の鈎頭部である。
【００１４】
そして、この義歯用維持具１の支持棒杆３は、下方に行くに従って径を細くするのが好ましく、しかもその長さは切断によって長さを自由に変形可能に形成してある。
【００１５】
７は、前記凹環部６に係合できるＯリングであって、適度の弾性を備える樹脂またはゴムなどで形成してあり、義歯側に配設固定するものである。したがって、このＯリング７が係合する凹環部６の外形は、空隙を形成することなく密着できる滑らかに曲弧状αに形成してある。
【００１６】
以下に、図４を参照して、義歯用維持具１の使用方法について説明する。
【００１７】
先ず、歯根８の中心軸方向に穴９を切削する（図４（ａ）参照）。ついで、支持棒杆３を前記穴９内に挿入し、接着剤（例えば、スーパーボンド（Ｒ））を充填し、義歯用維持具１を歯根８に植え込み、歯根８の表面上に基板部２と凹環部６と鈎頭部５を突出させて、これにＯリング７を凹環部６内へ嵌合させる（図４（ｂ）参照）。
【００１８】
他方、この鈎頭部５と係合する義歯、すなわち部分入れ歯Ｐまたは総入れ歯Ｒの義歯床１０には、前記鈎頭部５、凹環部６に嵌合させたＯリング７および基板部２が余裕をもって挿入できる大き目の穴１１を穿設する（図４（ｃ）参照）。
【００１９】
ついで、この穴１１内に義歯床１０と一体的に接合できるレジン１２を充填し、固化する前に正確に位置合わせをして噛み合せを行って、穴１１のレジン１２内に義歯用維持具１の鈎頭部５、凹環部６とＯリング７および基板部２を押し込ませる（図４（ｄ）参照）。
【００２０】
なお、ここで用いるレジン１２は樹脂材料であり、人体に害のない適度の強度と弾性を備えた材料である。
【００２１】
完全に固化したら、義歯床１０と義歯用維持具１を引き離すと、義歯床１０側にはＯリング７を残した状態の掛止孔１３が形成されてすべての作業を終了できる（図４（ｅ）参照）。
【００２２】
従って、図７の部分入れ歯Ｐにあって、固定用のばねＱの一方または双方が掛け止めしていた鉤歯が痛み、歯根しか使用できなかった場合は、上述した方法で歯根に義歯用維持具１を植設し、この義歯用維持具１と係合できる一方または双方の固定用のばねＱを取り除いて新たに作った入れ歯の新たな義歯を備えた義歯床１０（図示せず）に前記掛止孔１３を形成することにより部分入れ歯にも対応できる。
【００２３】
また、図３（ａ），（ｂ）および（ｃ）に示すような総入れ歯Ｒの場合、図示では口腔上側用のもので、上側に２個の歯根がある場合を示しているが、図５および図６に示すように、前述した方法、即ち図４の過程を経て、歯根８側に義歯用維持具１を植え込み、義歯側にはＯリング７を埋設した掛止孔１３を形成して義歯の着脱を軽快に行うことを可能にできる。
【００２４】
なお、長期間の使用などでＯリング７が老化した場合は、簡単に義歯の掛止孔１３より取外し、新しいＯリングを取替固定できる。
【図面の簡単な説明】
【００２５】
【図１】この発明に係る義歯用維持具の一実施例を示す拡大した側面図
【図２】図１の平面図
【図３】（ａ），（ｂ），（ｃ）  義歯を口腔の上側の総入れ歯として、本発明に係る義歯用維持具を用いた場合の平面図，底面図，背面図
【図４】（ａ），（ｂ），（ｃ），（ｄ），（ｅ）  義歯用維持具の使用状態を示す順次過程の断面図および側面図
【図５】図３の歯根との関係を拡大して示す使用前の断面図
【図６】図５の使用中の断面図
【図７】部分入れ歯の従来例を示す平面図
【図８】（ａ），（ｂ）  口腔の上側の総入れ歯の従来側を示す平面図と底面図
【符号の説明】
【００２６】
１  義歯用維持具
２  基板部
３  支持棒杆
４  抜脱防止手段
５  鈎頭部
６  凹環部
７  Ｏリング
８  歯根
９  穴
１０  義歯床
１１  穴
１２  レジン
１３  掛止孔
Ｐ    部分入れ歯
Ｑ    ばね
Ｒ    総入れ歯
α    曲弧状
【図１】
2005130997.tif 000003
【図２】
2005130997.tif 000004
【図３】
2005130997.tif 000005
【図４】
2005130997.tif 000006
【図５】
2005130997.tif 000007
【図６】
2005130997.tif 000008
【図７】
2005130997.tif 000009
【図８】
2005130997.tif 000010